(57)【特許請求の範囲】
【請求項１】
中間周波帯の複数のテレビジョン信号を増幅する中間周波増幅器と、前記中間周波増幅器の利得を制御するためのＡＧＣ電圧を出力するＡＧＣ回路とを備え、前記ＡＧＣ回路は前記中間周波増幅器から出力される前記テレビジョン信号のピーク電圧を検波する検波回路と、検波された前記ピーク電圧を保持する保持回路とを有し、前記保持回路によって保持された前記ピーク電圧に前記テレビジョン信号の種類に応じて異なる電圧を加算して前記ＡＧＣ電圧のレベルを前記テレビジョン信号の種類に応じて異ならせたことを特徴とするテレビジョン信号送信器の中間周波回路。
【請求項２】
前記ＡＧＣ回路には、前記ピーク電圧が入力され前記ピーク電圧に前記テレビジョン信号の種類に応じたレベルの電圧を加算して前記ＡＧＣ電圧のレベルを切り替えるＭＰＵと、前記テレビジョン信号の種類に応じたレベルの電圧を記憶するメモリとを設けたことを特徴とする請求項１記載のテレビジョン信号送信器の中間周波回路。
【請求項３】
前記ＡＧＣ回路は、前記ピーク電圧が一方の入力端子に入力されＡＧＣ電圧を出力するオペアンプを有し、前記オペアンプの他方の入力端子には前記テレビジョン信号の種類に応じて複数のレベルの基準電圧を択一的に入力したことを特徴とする請求項１記載のテレビジョン信号送信器の中間周波回路。
【請求項４】
前記テレビジョン信号の種類には、通常のアナログテレビジョン信号、又はスクランブルをかけられたアナログテレビジョン信号、又はディジタルテレビジョン信号の内の２種類以上を含むことを特徴とする請求項１乃至３の何れかに記載のテレビジョン信号送信器の中間周波回路。
【発明の詳細な説明】
【０００１】
【発明の属する技術分野】
本発明は、中間周波回路に係わり、特に複数の種類のテレビジョン信号が択一的に入力されテレビジョン信号にＡＧＣをかけて増幅する場合に好適な中間周波回路に関する。
【０００２】
【従来の技術】
ＣＡＴＶシステムの送信側においては、一般の地上波テレビジョン信号を再送信したり、映画、スポーツ等の娯楽番組や地域社会に密着した独自番組等を送信しているが、これらの番組をＣＡＴＶシステムに割り当てられたチャンネルに乗せてケーブルで送信するために送信器が使用される。送信器では、中間周波回路の利得をＡＧＣ回路によって制御することによって、中間周波回路の出力レベルを所定のレベルに調整している。
【０００３】
以下従来の送信器に用いられる中間周波回路について図７を参照しながら説明する。中間周波回路は、入力端２１から、中間周波帯に周波数変換されたテレビジョン信号が入力される。入力されたテレビジョン信号は中間周波増幅器２２で所定のレベルに増幅されてから混合器２３に入力されると共に、ＡＧＣ回路２７に入力される。混合器２３に入力されたテレビジョン信号は、送信器から出力する周波数帯に周波数変換され、出力端２６から出力される。混合器２３には、テレビジョン信号と共に、局部発振器２４から周波数変換用の局部発振信号が入力される。局部発振器２４はＰＬＬ回路２５によって発振周波数を制御されている。
【０００４】
通常のアナログテレビジョン信号が中間周波回路に入力される場合には、切替器３０によってオペアンプ３１と保持回路２９とを接続する。この場合、中間周波増幅器２２の出力は、混合器２３に入力されると共にＡＧＣ回路２７にも入力される。ＡＧＣ回路２７は、中間周波増幅器２２の利得を制御するためにＡＧＣ電圧を出力する回路であって、検波回路２８と、保持回路２９と、オペアンプ３１とから構成される。中間周波増幅器２２で増幅されたテレビジョン信号は、検波回路２８によって検波され、検波されたテレビジョン信号のピーク電圧が保持回路２９で保持され、ピーク電圧が切替器３０を通って、オペアンプ３１の非反転入力端子に入力される。通常のアナログテレビジョン信号の場合は、水平同期信号の振幅が最も大きいので、水平同期信号のレベルがオペアンプ３１の非反転入力端子に入力され続けることになる。オペアンプ３１は、ピーク電圧を増幅し、ＡＧＣ電圧として、中間周波増幅器２２に印加する。中間周波増幅器２２は、ＡＧＣ電圧の大きさによって増幅率が変化するので、中間周波増幅器２２の出力レベルが所定のレベルとなるように自動的に制御される。
【０００５】
一方、スクランブルをかけられたアナログテレビジョン信号や、ディジタルのテレビジョン信号は、水平同期信号が存在しないため、水平同期信号のレベルに応じたＡＧＣをかけることができない。このため、スクランブルをかけられたアナログテレビジョン信号や、ディジタルテレビジョン信号が中間周波回路に入力された場合には、切替器３０を切り替えて、オペアンプ３１の非反転入力端子に基準電圧源３２を接続し、基準電圧源３２の電圧レベルを手動で調整することにより、中間周波増幅器２２の利得を調整する。この場合には、調整後は、中間周波増幅器２２の利得が変化しないのでＡＧＣがかからないこととなる。
【０００６】
【発明が解決しようとする課題】
以上のように、従来の中間周波回路においては、スクランブルをかけられたアナログテレビジョン信号や、ディジタルテレビジョン信号には、ＡＧＣをかけることができず、テレビジョン信号を所定のレベルに保つことができなかった。
【０００７】
そこで、本発明は、通常のアナログテレビジョン信号のみならず、スクランブルをかけられたアナログテレビジョン信号や、ディジタルテレビジョン信号にも、テレビジョン信号の種類に応じたＡＧＣをかけ、出力を最適なレベルにできる中間周波回路を実現することを目的とする。
【０００８】
【課題を解決するための手段】
上記の課題を解決するため、本発明の中間周波回路は、中間周波帯の複数のテレビジョン信号を増幅する中間周波増幅器と、前記中間周波増幅器の利得を制御するためのＡＧＣ電圧を出力するＡＧＣ回路とを備え、前記ＡＧＣ回路は前記中間周波増幅器から出力される前記テレビジョン信号のピーク電圧を検波する検波回路と、検波された前記ピーク電圧を保持する保持回路とを有し、前記保持回路によって保持された前記ピーク電圧に前記テレビジョン信号の種類に応じて異なる電圧を加算して前記ＡＧＣ電圧のレベルを前記テレビジョン信号の種類に応じて異ならせた。
【０００９】
また、本発明の中間周波回路は、前記ＡＧＣ回路には、前記ピーク電圧が入力され前記ピーク電圧に前記テレビジョン信号の種類に応じたレベルの電圧を加算して前記ＡＧＣ電圧のレベルを切り替えるＭＰＵと、前記テレビジョン信号の種類に応じたレベルの電圧を記憶するメモリとを設けた。
【００１１】
また、本発明の中間周波回路は、前記ＡＧＣ回路は、前記ピーク電圧が一方の入力端子に入力されＡＧＣ電圧を出力するオペアンプを有し、前記オペアンプの他方の入力端子には前記テレビジョン信号の種類に応じて複数のレベルの基準電圧を択一的に入力した。
【００１２】
また、本発明の中間周波回路のテレビジョン信号の種類には、通常のアナログテレビジョン信号、又はスクランブルをかけられたアナログテレビジョン信号、又はディジタルテレビジョン信号の内の２種類以上を含んでいる。
【００１３】
【発明の実施の形態】
以下、本発明の中間周波回路の一実施形態を図１に基づいて説明する。図１は、本発明の中間周波回路の回路図であり、ＣＡＴＶシステムの送信器等に用いられる。中間周波回路は、入力端１から、中間周波帯に周波数変換されたテレビジョン信号が入力される。入力されたテレビジョン信号は中間周波増幅器２で増幅されてから混合器３に入力されると共に、ＡＧＣ回路７に入力される。混合器３に入力されたテレビジョン信号は、所定の周波数帯に周波数変換され、出力端６から出力される。混合器３には、テレビジョン信号と共に、局部発振器４から周波数変換用の局部発振信号が入力される。局部発振器４はＰＬＬ回路５によって発振周波数を制御されている。
【００１４】
中間周波増幅器２の出力は、混合器３に入力されると共にＡＧＣ回路７にも入力される。ＡＧＣ回路７は、中間周波増幅器２の利得を制御するためのＡＧＣ電圧を出力する回路であって、検波回路８と、保持回路９と、Ａ／Ｄ変換器１０と、ＭＰＵ１１と、不揮発性のメモリ（ＰＲＯＭ）１２と、Ｄ／Ａ変換器１３と、オペアンプ１４とから構成される。中間周波増幅器２で増幅されたテレビジョン信号は、検波回路８で検波され、検波されたテレビジョン信号のピーク電圧が保持回路９で保持される。保持回路９で保持されたピーク電圧は、Ａ／Ｄ変換器１０で、デジタル信号に変換されＭＰＵ１１へ入力される。ＭＰＵ１１は、メモリ１２に接続されている。メモリ１２には、テレビジョン信号の種類に応じてピーク電圧に加算する電圧のレベルが、図２に示す通りに記憶されており、ＭＰＵ１１は、ピーク電圧のレベルにメモリ１２に記憶されたレベルを加算して、Ｄ／Ａ変換器１３に出力する。尚、メモリ１２には空き容量があり、今後新たな変調方式が出現した際には、新たにレベル差を追加して、記憶させるだけで容易に対応できる。
【００１５】
ここで、図３に示す通常のアナログテレビジョン信号が中間周波回路に入力された場合には、図示せぬスイッチを手動で切り替えて、通常のアナログテレビジョン信号が入力されることを示す信号をＭＰＵ１１に送信する。すると、メモリ１２からは、ピーク電圧のレベルに加算すべきレベルとして０［ｄＢ］をＭＰＵ１１へ出力する。するとＭＰＵ１１は、入力されたピーク電圧のレベルをそのままＭＰＵ１１から出力する。尚、この場合には、水平同期信号１９がピーク電圧となる。
【００１６】
また、図４に示すスクランブルをかけられたアナログテレビジョン信号では、水平同期信号が無くなっており、ペデスタルレベル２０がピーク電圧となる。この実施形態の中間周波回路においては、通常のアナログテレビジョン信号における水平同期信号とペデスタルレベルとのレベルの差が２．５［ｄＢ］あるので、この分だけ、ピーク電圧が高くなるように中間周波増幅器２の利得を制御する必要がある。そこで、スクランブルをかけられたアナログテレビジョン信号が中間周波回路に入力される場合には、図示せぬスイッチを手動で切り替えて、スクランブルをかけられたアナログテレビジョン信号が入力されることを示す信号をＭＰＵ１１に送信する。すると、メモリ１２からは、ピーク電圧のレベルに加算すべきレベルとして２．５［ｄＢ］をＭＰＵ１１へ出力する。するとＭＰＵ１１は、入力されたピーク電圧のレベルに２．５［ｄＢ］を加算した後にＭＰＵ１１から出力する。
【００１７】
また、図５に示すディジタルテレビジョン信号では、振幅が一定となっているが、ディジタルテレビジョン信号は過変調による信号劣化状態になるので、中間周波増幅器２の利得を小さくする必要がある。この実施形態の中間周波回路においては、通常のアナログテレビジョン信号における水平同期信号のレベルのよりディジタルテレビジョン信号の振幅のレベルを３．０［ｄＢ］低くする必要がある。そこで、ディジタルテレビジョン信号が中間周波回路に入力される場合には、図示せぬスイッチを手動で切り替えて、ディジタルのテレビジョン信号が入力されることを示す信号をＭＰＵ１１に送信する。すると、メモリ１２からは、ピーク電圧のレベルに加算すべきレベルとして３．０［ｄＢ］をＭＰＵ１１へ出力する。するとＭＰＵ１１は、ピーク電圧のレベルに３．０［ｄＢ］を加算した後にＭＰＵ１１から出力する。
【００１８】
Ｄ／Ａ変換器１３では、ＭＰＵ１１から出力されたディジタル信号をアナログ信号に変換し、オペアンプ１４の非反転入力端子に入力する。オペアンプ１４は、入力された電圧を増幅し、ＡＧＣ電圧として、中間周波増幅器２に印加する。ＡＧＣ電圧のレベルが大きくなるほど中間周波増幅器２の利得は、小さくなるようになっているので中間周波増幅器２の出力レベルが一定のレベルに保たれる。
【００１９】
図６は本発明の別の実施形態を示す回路図である。この別の実施形態において図１に示した一実施の形態との相違点は、ＭＰＵが存在せず、オペアンプ１４の非反転入力端子に入力する基準電圧が切り替えられるようになっている点である。
【００２０】
図６に示す別の実施形態において、中間周波増幅器２と、混合器３と、局部発振器４と、検波回路８と、保持回路９とは、一実施形態と同様であるので重複する説明は省略する。
【００２１】
オペアンプ１４の反転入力端子には、切替器１５を介して、択一的に第一の基準電圧源１６、又は第二の基準電圧源１７、又は第三の基準電圧源１８に接続されている。
【００２２】
通常のアナログテレビジョン信号が中間周波回路に入力される場合には、オペアンプ１４と第一の基準電圧源１６とが接続されるように切替器１５を切り替える。第一の基準電圧源１６からは、３［Ｖ］の電圧が出力される。従って、水平同期信号１９のレベルと第一の基準電圧源１６のレベルとの差に比例する電圧が、オペアンプ１４からＡＧＣ電圧として出力される。
【００２３】
また、スクランブルされたアナログテレビジョン信号が中間周波回路に入力される場合には、オペアンプ１４と第二の基準電圧源１７とが接続されるように切替器１５を切り替える。スクランブルをかけられたアナログテレビジョン信号がこの実施形態の中間周波回路に入力される場合には、ピーク電圧のレベルを、通常のアナログテレビジョン信号の場合よりも２．５［ｄＢ］低くする必要があるので、第二の基準電圧源１７は、０．５［ｄＢ］低くするような電圧が出力されるようになっている。そして、ペデスタルレベル２０と第二の基準電圧源１７のレベルとの差に比例する電圧が、オペアンプ１４からＡＧＣ電圧として出力される。
【００２４】
また、ディジタル信号が中間周波回路に入力される場合には、オペアンプ１４と第二の基準電圧源１７とが接続されるように切替器１５を切り替える。ディジタルテレビジョン信号がこの実施形態の中間周波回路に入力される場合には、ピーク電圧のレベルを、通常のアナログテレビジョン信号の場合よりも３．０［ｄＢ］低くする必要があるので、第二の基準電圧源１７は、０［ｄＢ］低くするような電圧が出力されるようになっている。そして、ディジタルテレビジョン信号の振幅のレベルと第二の基準電圧源１７のレベルとの差に比例する電圧が、オペアンプからＡＧＣ電圧として出力される。
【００２５】
【発明の効果】
以上のように、本発明の中間周波回路は、中間周波帯の複数のテレビジョン信号を増幅する中間周波増幅器と、中間周波増幅器の利得を制御するためのＡＧＣ電圧を出力するＡＧＣ回路とを備え、ＡＧＣ回路は中間周波増幅器から出力されるテレビジョン信号のピーク電圧を検波する検波回路と、検波されたピーク電圧を保持する保持回路とを有し、保持回路によって保持されたピーク電圧にテレビジョン信号の種類に応じて異なる電圧を加算してＡＧＣ電圧のレベルをテレビジョン信号の種類に応じて異ならせたので、種類の異なるテレビジョン信号毎に中間周波増幅器の出力レベルを所定値に保つことができる。
【００２６】
また、本発明の中間周波回路は、ＭＰＵでピーク電圧に、テレビジョン信号の種類に応じたレベルを加算して、ＡＧＣ電圧を切り替えるので、テレビジョン信号の種類に応じて適切な大きさのＡＧＣ電圧を中間周波増幅器にかけることが可能である。
【００２７】
また、本発明の中間周波回路は、ＡＧＣ回路は、ピーク電圧が一方の入力端子に入力されＡＧＣ電圧を出力するオペアンプを有し、オペアンプの他方の入力端子にはテレビジョン信号の種類に応じて複数のレベルの基準電圧を択一的に入力したので、ＡＧＣ電圧の切替が容易である。
【００２８】
また、本発明の中間周波回路は、テレビジョン信号の種類には、通常のアナログテレビジョン信号、又はスクランブルをかけられたアナログテレビジョン信号、又はディジタルテレビジョン信号の内の２種類以上を含むので、中間周波増幅器から出力されるこれらのテレビジョン信号のレベルを所定値に保つことができる。
【図面の簡単な説明】
【図１】本発明の中間周波回路の一実施形態を示す回路図である。
【図２】本発明のメモリに記憶されている内容を示す表である。
【図３】通常のアナログのテレビジョン信号を示すグラフである。
【図４】スクランブルをかけられたアナログのテレビジョン信号を示すグラフである。
【図５】ディジタルのテレビジョン信号を示すグラフである。
【図６】本発明の中間周波回路の別の実施形態を示す回路図である。
【図７】従来の中間周波回路を示す回路図である。
【符号の説明】
１  入力端
２  中間周波増幅器
３  混合器
４  局部発振器
５  ＰＬＬ回路
６  出力端
７  ＡＧＣ回路
８  検波回路
９  保持回路
１０  Ａ／Ｄ変換器
１１  ＭＰＵ
１２  メモリ
１３  Ｄ／Ａ変換器
１４  オペアンプ
１５  切替器
１６  第一の基準電圧源
１７  第二の基準電圧源
１８  第三の基準電圧源
１９  水平同期信号
２０  ペデスタルレベル
【図１】
0003610282.tif 000002
【図２】
0003610282.tif 000003
【図３】
0003610282.tif 000004
【図４】
0003610282.tif 000005
【図５】
0003610282.tif 000006
【図６】
0003610282.tif 000007
【図７】
0003610282.tif 000008